(57)【要約】【課題】データファイルのタイトル情報を一覧にしたタイトルリストを表示したときにおいてデータファイルの秘匿性を確保することができる表示装置を提供する。【解決手段】複数のデータファイルのタイトル情報又は当該タイトル情報に対応する情報を含むリスト情報を取得する情報取得手段と、この情報取得手段により取得したリスト情報に基づいて、データファイルのタイトル情報を一覧にしたタイトルリストを表示手段に表示する表示制御手段とを備え、リスト情報には、データファイル毎にセキュリティ設定の情報が含まれ、表示制御手段は、タイトルリストを表示手段に表示するときに、セキュリティ設定の情報に基づき、セキュリティ設定がされていると判定したデータファイルはそのタイトル情報に代えて所定情報を表示する。【選択図】図３
2010186348.tif 000002
【特許請求の範囲】
【請求項１】
表示手段と、
複数のデータファイルのタイトル情報又は当該タイトル情報に対応する情報を含むリスト情報を取得する情報取得手段と、
前記情報取得手段により取得したリスト情報に基づいて、前記データファイルのタイトル情報を一覧にしたタイトルリストを前記表示手段に表示する表示制御手段と、を備えた表示装置において、
前記リスト情報には、前記データファイル毎にセキュリティ設定の情報が含まれ、
前記表示制御手段は、前記タイトルリストを前記表示手段に表示するときに、前記セキュリティ設定の情報に基づき、セキュリティ設定がされていると判定したデータファイルはそのタイトル情報に代えて所定情報を表示することを特徴とする表示装置。
【請求項２】
前記リスト情報は、前記データファイル毎にファイルＩＤとセキュリティ設定の情報とが関連付けられ、
前記データファイルは、ファイルデータと、ファイルＩＤ及びタイトル情報とが含まれるプロパティ情報とを有しており、
前記情報取得手段は、前記データファイル及び前記リスト情報を記憶した記憶媒体から記憶媒体ドライブを介して前記データファイル及び前記リスト情報を取得し、
前記表示制御手段は、前記セキュリティ設定の情報に基づき前記セキュリティ設定がされていないと判定したデータファイルのファイルＩＤと一致するファイルＩＤを有するデータファイルに含まれるタイトル情報を取得する一方、前記セキュリティ設定がされていると判定したデータファイルはそのタイトル情報に代えて前記所定情報を取得して、前記タイトルリストを生成し、表示することを特徴とする請求項１に記載の表示装置。
【請求項３】
前記セキュリティ設定されたデータファイルのタイトル情報を表示するための解除情報を入力するための入力手段を備え、
前記セキュリティ設定がされたデータファイルのタイトル情報は暗号化されて前記記憶媒体に記憶されており、
前記表示制御手段は、前記入力手段により解除情報が入力された後に前記タイトルリストを表示する際は、前記セキュリティ設定がされたデータファイルのタイトル情報を復号化して、前記セキュリティ設定がされたデータファイルのタイトル情報を取得し、前記セキュリティ設定がされたデータファイルのタイトル情報を含む前記タイトルリストを生成して表示することを特徴とする請求項２に記載の表示装置。
【請求項４】
前記表示手段に表示されたタイトルリストからデータファイルを選択する選択手段を備え、
前記表示制御手段は、前記選択手段で選択されたデータファイルがセキュリティ設定がされていると判定したデータファイルであるときには、当該データファイルに含まれるファイルデータの表示を規制することを特徴とする請求項１に記載の表示装置。
【請求項５】
前記セキュリティ設定がされたデータファイルのファイルデータを表示するための解除情報を入力するための入力手段を備え、
前記情報取得手段は、前記データファイル及び前記リスト情報を記憶した記憶媒体から記憶媒体ドライブを介して前記データファイル及び前記リスト情報を取得し、
前記セキュリティ設定がされたデータファイルは、前記記憶媒体に暗号化されて記憶されており、
前記表示制御手段は、前記選択手段で選択されたデータファイルがセキュリティ設定がされていると判定したデータファイルであるときには、前記解除情報の入力を促す表示を行い、その後、前記入力手段から前記解除情報が入力されたときに、前記選択されたデータファイルのファイルデータを復号化して表示することを特徴とする請求項４に記載の表示装置。
【請求項６】
前記リスト情報には、前記データファイルを格納するフォルダに関する情報を含み、さらに、前記フォルダに関する情報には当該フォルダのセキュリティ設定の情報が含まれ、
前記表示制御手段は、前記フォルダのタイトル情報を含む前記タイトルリストを前記表示手段に表示するときに、セキュリティ設定がされているフォルダはタイトル情報に代えて所定情報を表示することを特徴とする請求項１〜５のいずれか１項に記載の表示装置。
【発明の詳細な説明】
【技術分野】
【０００１】
本発明は、表示装置に関する。詳細には、データファイルのタイトル情報を一覧にしたタイトルリストを表示することができる表示装置に関する。
【背景技術】
【０００２】
従来より、記憶手段に複数記憶されているデータファイルの中から、いずれかのデータファイルを読み出してそのデータファイルに応じた画像を表示させる電子ブック等の表示装置が知られている。
【０００３】
かかる表示装置においては、記憶手段にどのようなデータファイルが記憶されているかをユーザに示すために、記憶手段に記憶されたデータファイルのタイトル情報を一覧にしたタイトルリストを表示手段に表示させる機能がある。
【０００４】
タイトルリストの表示方法として、累積表示時間が長いものから順に並び替えて表示したり、ユーザによる操作内容に応じて並び替えて表示するなど、ユーザにとって重要と思われるデータファイルの順に表示させるなどの工夫が為されている（例えば、特許文献１参照）。
【先行技術文献】
【特許文献】
【０００５】
【特許文献１】特開２００７−２８７１３３号公報
【発明の概要】
【発明が解決しようとする課題】
【０００６】
ところで、上記のような表示装置においては、一時的な貸し出しや紛失等によりその所有者以外の者が使用する場合があり、所有者は秘匿したいデータファイルを暗号化するなどして記憶手段に記憶しておくことが一般的である。
【０００７】
また、保護設定を行っていないデータファイルの所定ページを縮小イメージでサムネイルアイコン化して表示する一方、保護設定したデータファイルは保護状態であることを示すアイコンで表示する表示装置も提案されている（特開２００１−５１９８７号公報参照）。
【０００８】
しかしながら、データファイルを暗号化したり或は保護状態であることを示すアイコンを表示した場合であってもそのタイトル情報までは保護されず、従って、上記タイトルリストを表示した際にそのタイトル情報からどのようなデータファイルが記憶手段に記憶されているかが推測される恐れが高い。
【０００９】
本発明は、上述したような課題に鑑みてなされたものであり、データファイルのタイトル情報を一覧にしたタイトルリストを表示したときにおいてデータファイルの秘匿性を確保することができる表示装置を提供することを目的とする。
【課題を解決するための手段】
【００１０】
上記目的を達成するために、請求項１に係る発明は、表示手段と、複数のデータファイルのタイトル情報又は当該タイトル情報に対応する情報を含むリスト情報を取得する情報取得手段と、前記情報取得手段により取得したリスト情報に基づいて、前記データファイルのタイトル情報を一覧にしたタイトルリストを前記表示手段に表示する表示制御手段と、を備えた表示装置において、前記リスト情報には、前記データファイル毎にセキュリティ設定の情報が含まれ、前記表示制御手段は、前記タイトルリストを前記表示手段に表示するときに、前記セキュリティ設定の情報に基づき、セキュリティ設定がされていると判定したデータファイルはそのタイトル情報に代えて所定情報を表示することとした。
【００１１】
また、請求項２に係る発明は、請求項１に記載の表示装置において、前記リスト情報は、前記データファイル毎にファイルＩＤとセキュリティ設定の情報とが関連付けられ、前記データファイルは、ファイルデータと、ファイルＩＤ及びタイトル情報とが含まれるプロパティ情報とを有しており、前記情報取得手段は、前記データファイル及び前記リスト情報を記憶した記憶媒体から記憶媒体ドライブを介して前記データファイル及び前記リスト情報を取得し、前記表示制御手段は、前記セキュリティ設定の情報に基づき前記セキュリティ設定がされていないと判定したデータファイルのファイルＩＤと一致するファイルＩＤを有するデータファイルに含まれるタイトル情報を取得する一方、前記セキュリティ設定がされていると判定したデータファイルはそのタイトル情報に代えて前記所定情報を取得して、前記タイトルリストを生成し、表示することを特徴とする。
【００１２】
また、請求項３に係る発明は、請求項２に記載の表示装置において、前記セキュリティ設定されたデータファイルのタイトル情報を表示するための解除情報を入力するための入力手段を備え、前記セキュリティ設定がされたデータファイルのタイトル情報は暗号化されて前記記憶媒体に記憶されており、前記表示制御手段は、前記入力手段により解除情報が入力された後に前記タイトルリストを表示する際は、前記セキュリティ設定がされたデータファイルのタイトル情報を復号化して、前記セキュリティ設定がされたデータファイルのタイトル情報を取得し、前記セキュリティ設定がされたデータファイルのタイトル情報を含む前記タイトルリストを生成して表示することを特徴とする。
【００１３】
また、請求項４に係る発明は、請求項１に記載の表示装置において、前記表示手段に表示されたタイトルリストからデータファイルを選択する選択手段を備え、前記表示制御手段は、前記選択手段で選択されたデータファイルがセキュリティ設定がされていると判定したデータファイルであるときには、当該データファイルに含まれるファイルデータの表示を規制することを特徴とする。
【００１４】
また、請求項５に係る発明は、請求項４に記載の表示装置において、前記セキュリティ設定がされたデータファイルのファイルデータを表示するための解除情報を入力するための入力手段を備え、前記セキュリティ設定がされたデータファイルは、暗号化されており、前記表示制御手段は、前記選択手段で選択されたデータファイルがセキュリティ設定がされていると判定したデータファイルであるときには、前記解除情報の入力を促す表示を行い、その後、前記入力手段から前記解除情報が入力されたときに、前記選択されたデータファイルのファイルデータを復号化して表示することを特徴とする。
【００１５】
また、請求項６に係る発明は、請求項１〜５のいずれか１項に記載の表示装置において、前記リスト情報には、前記データファイルを格納するフォルダに関する情報を含み、さらに、前記フォルダに関する情報には当該フォルダのセキュリティ設定の情報が含まれ、前記表示制御手段は、前記フォルダのタイトル情報を含む前記タイトルリストを前記表示手段に表示するときに、セキュリティ設定がされているフォルダはタイトル情報に代えて所定情報を表示することを特徴とする。
【発明の効果】
【００１６】
本発明によれば、セキュリティ設定がされていないデータファイルはそのタイトル情報をタイトルリストに表示する一方、セキュリティ設定がされているデータファイルはそのタイトル情報に代えて所定情報をタイトルリストに表示するため、データファイルの秘匿性を確保することができる。
【図面の簡単な説明】
【００１７】
【図１】本発明の一実施形態に係る表示装置の外観図である。
【図２】フォルダ及びデータファイルの階層状態を示す図である。
【図３】フォルダのタイトルリストを表示する動作を説明するための図である。
【図４】閲覧履歴のタイトルリストを表示する動作を説明するための図である。
【図５】表示装置の構成図である。
【図６】トップフォルダファイルのデータ構造を示す図である。
【図７】フォルダファイルのデータ構造を示す図である。
【図８】ドキュメントファイルのデータ構造を示す図である。
【図９】フォルダ及びデータファイルの階層状態を示す図である。
【図１０】閲覧履歴ファイルのデータ構造を示す図である。
【図１１】閲覧履歴ファイルの更新を説明するための図である。
【図１２】表示装置のメイン制御処理の流れを示す説明図である。
【図１３】図１２に示すメインフォルダ処理の流れを示す説明図である。
【図１４】図１２に示すリスト選択処理の流れを示す説明図である。
【図１５】図１２に示す閲覧履歴表示処理の流れを示す説明図である。
【図１６】図１２に示す閲覧履歴選択処理の流れを示す説明図である。
【発明を実施するための形態】
【００１８】
以下、本発明の一実施形態を図面を参照して説明する。
【００１９】
［１．表示装置の概要］
まず、図１〜図４を参照して、本実施形態の表示装置１の外観及び主な動作について説明する。
【００２０】
表示装置１は、平面視方形状で薄型の装置であり、図１に示すように、その正面には、表示手段として略Ａ４サイズの大きさの表示部２が設けられている。この表示部２は、例えば電気泳動表示パネルや液晶パネル（ＬＣＤ）などで構成することができる。
【００２１】
この表示部２の右側には、表示装置１の状態を示すＬＥＤ３と、各種操作ボタンを備えた操作部４とが配置されている。操作部４には、電源ボタン５ａ、メニューボタン５ｂ、ドキュメント閉じるボタン５ｃ、拡大ボタン５ｄ、ページ送りボタン５ｆ，５ｇ，領域選択ボタン６（６ａ〜６ｍ）が含まれる。
【００２２】
そして、表示装置１のユーザは、操作部４を操作して表示部２に表示するデータファイルの選択、表示、作成などを行うことができる。本実施形態の表示装置１で扱うことができる「データファイル」として、文字や図形などからなるドキュメントを表示させるためのデータファイル（以下、「ドキュメントファイル」と呼ぶ。）、写真、ＣＧなどのグラフィック画像を表示させるためのデータファイルなどがあるが、これに限られるものではない。なお、以下においては、説明を容易にするためにデータファイルとしてドキュメントファイルを例に挙げて説明することとする。
【００２３】
表示装置１の右側面には、メモリカード８を挿入するためのメモリカードインタフェース（Ｉ／Ｆ）１６が設けられている。表示装置１では、メモリカード８に記憶されているドキュメントファイルなどをメモリカードＩ／Ｆ１６を介して読み込んで表示部２に表示させることができる。
【００２４】
メモリカード８には、例えば、トップフォルダを頂点として図２に示すような階層構造でドキュメントファイル及びフォルダの情報ファイル（以下、「フォルダファイル」と呼ぶ。）が記憶されており、一部のドキュメントファイル（ドキュメント２〜４）及びフォルダファイル（サブフォルダ１）にはセキュリティ設定がされている。
【００２５】
ドキュメントファイルには、ドキュメントデータ本体に加え、ファイルＩＤであるドキュメントＩＤ、タイトル情報などの情報を有するプロパティ情報が含まれている（後述の図９参照）。なお、セキュリティ設定がされているドキュメントファイルは、ドキュメントＩＤを除き、暗号化されてメモリカード８に記憶されている。なお、暗号化の方式として、例えばＤＥＳやＩＤＥＡなどを用いることができる。また、少なくともドキュメントデータ本体とタイトル情報とは別々に暗号化されてメモリカード８に記憶されており、ドキュメントデータ本体とタイトル情報とは個別に復号化して読み出すことが可能となっている。
【００２６】
一方、フォルダファイルはフォルダ毎に一つあり、フォルダを識別するためのフォルダＩＤに加え、当該フォルダに含まれるドキュメントファイルを識別するためのドキュメントＩＤやフォルダファイルを識別するためのフォルダＩＤなどが含まれており、さらにこれらのファイル毎にセキュリティ設定の有無の情報（以下、「セキュリティ設定情報」と呼ぶ。）が含まれている（後述の図７，８参照）。
【００２７】
このフォルダファイルは、フォルダに含まれるドキュメントファイルやフォルダファイルのそれぞれのタイトル情報を一覧としたタイトルリスト（フォルダ内タイトルリスト）を表示する際には、リスト情報として機能することになる。
【００２８】
すなわち、表示装置１は、タイトルリストを生成する対象フォルダ（トップフォルダやサブフォルダ）のフォルダファイルをメモリカード８からリスト情報として取得し、この取得した情報に基づいて、トップフォルダやサブフォルダにあるドキュメントファイルやフォルダファイルの各タイトル情報を取得して、ドキュメントファイルやフォルダファイルのタイトル情報を一覧にしたタイトルリストを生成して、表示部２に表示する。
【００２９】
表示装置１は、タイトルリストを生成するとき、対象フォルダのフォルダファイルに含まれるドキュメントＩＤと一致するドキュメントＩＤが付与されたドキュメントファイルに含まれるタイトル情報をメモリカード８から取得する。また、対象フォルダのフォルダファイルに含まれるフォルダＩＤと一致するフォルダＩＤが付与されたフォルダファイルに含まれるタイトル情報をメモリカード８から取得する。
【００３０】
このとき、表示装置１は、対象フォルダのフォルダファイルにおいてセキュリティ設定情報が「セキュリティ設定有」を示す情報であるドキュメントファイルはそのタイトル情報の取得を行わない。同様に、取得したフォルダファイルにおいてセキュリティ設定情報が「セキュリティ設定有」を示す情報であるフォルダファイルはそのタイトル情報の取得を行わない。
【００３１】
そして、表示装置１は、セキュリティ設定がされていないドキュメントファイル及びフォルダファイルについてはそのタイトル情報をタイトルリストに含め、セキュリティ設定がされているドキュメントファイル及びフォルダファイルについては所定情報（例えば、「セキュリティドキュメント」、「セキュリティフォルダ」といった文字列）をタイトルリストに含めるようにして、タイトルリストを生成する。
【００３２】
ここで、図３を参照して、表示装置１によりメモリカード８に記憶したドキュメントファイルを閲覧するときの操作及びそのときの処理について具体的に説明する。この処理は、表示装置１の後述するＣＰＵ１０が制御部として行う処理である。
【００３３】
トップフォルダやサブフォルダのフォルダファイルやドキュメントファイルの内容を表示する場合、ユーザは、まずメニューボタン５ｂを操作して表示部２にメニュー画面（図１参照）を表示させ、その後、領域選択ボタン６ａを操作する。
【００３４】
かかる操作により、図３（ａ）に示すように、表示装置１の制御部は、トップフォルダ内のドキュメントファイル及びフォルダファイルのタイトル情報を一覧にしたタイトルリストを表示部２に表示する。このタイトルリストは、上述したように、セキュリティ設定がされていないファイルに対してはそのファイルに付されたタイトル情報が表示され、セキュリティ設定がされている情報に対しては設定がされている旨の情報がタイトル情報として表示される。ここでは、セキュリティ設定がされているドキュメントファイルに対しては「セキュリティドキュメント」がタイトル情報として表示され、セキュリティ設定がされているフォルダファイルに対しては「セキュリティフォルダ」がタイトル情報として表示される。
【００３５】
この状態で、例えば、領域選択ボタン６を操作して「セキュリティフォルダ」を選択すると、表示装置１の制御部は、図３（ｂ）に示すように、セキュリティフォルダ内の情報を表示するための解除情報として暗証番号の入力を促す暗証番号入力画面を表示部２に表示する。
【００３６】
この画面でユーザが領域選択ボタン６を操作して暗証番号を入力すると、表示装置１の制御部は、この暗証番号を復号キーとして表示装置１内の揮発性メモリ（後述のＲＡＭ１２。以下同様）に記憶し、上記選択した「セキュリティフォルダ」のフォルダＩＤと一致するフォルダファイルのうち少なくともそのタイトル情報の復号化を試みる。この復号化の処理において、表示装置１は、復号化が成功してフォルダファイルに含まれるファイル（ドキュメントファイルやフォルダファイル）のタイトル情報等が取得可能になったとき、表示装置１の制御部はそれらのタイトル情報を表示部２にタイトルリストとして表示する（図３（ｃ）参照）。なお、入力された暗証番号が正しくない場合には、ファイルの表示が規制される。
【００３７】
この画面で、ユーザが領域選択ボタン６を操作して、例えば、セキュリティ設定されたサブフォルダ１内のドキュメント３を選択すると、表示装置１の制御部は、メモリカード８に記憶したドキュメント３のドキュメントデータ本体を上記揮発性メモリに記憶した復号キーを用いて復号化して揮発性メモリに格納し、表示部２に表示する（図３（ｄ）参照）。ドキュメント４を選択した場合にも同様な処理となる。なお、ドキュメントデータ本体が複数ページのデータからなる場合には、ドキュメントデータ本体を一括して暗号化及び復号化を行うのではなく、ページのデータ毎に暗号化を行い、表示するために必要なページのみを復号化することが望ましく、このように必要なデータだけを必要なときに復号化処理に行うことで、復号化処理や表示処理等の高速化を図ることができる。
【００３８】
図３（ｄ）に示すようにドキュメント３，４の内容を表示した後は、ドキュメント閉じるボタン５ｃを操作することで、図３（ｃ）に示す状態に戻ることができる。また、図３（ｃ）に示す表示状態で、ユーザが領域選択ボタン６ａ（戻るボタン）を操作することで、トップフォルダに対するタイトルリストを表示部２に表示する状態（図３（ａ）参照）に戻ることができる。なお、図３（ｃ）の表示状態から図３（ａ）の表示状態へ移行する際に、図３（ｅ）に示すようなセキュリティ解除を中止した旨（すなわち、再び暗証番号を入力しないとサブフォルダ１のフォルダファイルやドキュメントファイルの内容が閲覧できない旨）を通知（セキュリティロック通知）する表示を数秒間だけ表示部２に行い、セキュリティ状態をセキュリティロック状態とする。また、このとき、表示装置１の制御部は、復号キーを表示装置１内の揮発性メモリから消去し、セキュリティ状態をセキュリティロック状態とする。
【００３９】
一方、トップフォルダに対するタイトルリストを表示部２に表示した状態（図３（ａ）参照）で、例えば、領域選択ボタン６ｈを操作して「セキュリティドキュメント」を選択すると、表示装置１の制御部は、図３（ｆ）に示すように、暗証番号の入力を促す暗証番号入力画面を表示部２に表示する。
【００４０】
この画面でユーザが領域選択ボタン６を操作して暗証番号を入力すると、表示装置１の制御部は、この暗証番号を復号キーとして上記選択した「セキュリティドキュメント」のドキュメントＩＤと一致するドキュメントファイルの復号化を試みる。この復号化の処理において、表示装置１は、復号化が成功した場合、復号化したドキュメントファイルを揮発性メモリに記憶し、表示部２に表示する（図３（ｇ）参照）。このとき、表示装置１の制御部は、セキュリティ状態をセキュリティロック解除状態とし、復号キーを表示装置１内の揮発性メモリに記憶しておく。一方、表示装置１の制御部は、「セキュリティドキュメント」に対応するドキュメントファイルの復号化の処理において、復号化が成功せずにドキュメントデータ本体等が取得できないときには、入力された暗証番号が間違いである旨を通知する表示を表示部２に行う。このように入力された暗証番号が正しくない場合には、ドキュメントファイルの表示が規制される。なお、ドキュメントデータ本体が複数ページのデータからなる場合には、ドキュメントデータ本体を一括して暗号化及び復号化を行うのではなく、ページのデータ毎に暗号化を行い、表示するために必要なページのみを復号化することが望ましい。
【００４１】
図３（ｇ）に示すようにドキュメント２の内容を表示した後は、ユーザが領域選択ボタン６ａ（戻るボタン）を操作することで、トップフォルダに対するタイトルリストを表示部２に表示する状態（図３（ａ）参照）に戻ることができる。なお、図３（ｇ）の表示状態から図３（ａ）の表示状態へ移行する際に、図３（ｅ）に示すようなセキュリティ解除を中止した旨（すなわち、再び暗証番号を入力しないとドキュメントファイルの内容が閲覧できない旨）を通知（セキュリティロック通知）する表示を数秒間だけ表示部２に行い、セキュリティ状態をセキュリティロック状態とする。また、このとき、表示装置１の制御部は、表示装置１内の揮発性メモリから復号キーを消去し、セキュリティ状態をセキュリティロック状態とする。
【００４２】
このように実施形態に係る表示装置１では、各フォルダ（トップフォルダやサブフォルダ）にあるドキュメントファイルやフォルダファイルのタイトル情報を一覧にしたタイトルリストを表示部２に表示する際に、セキュリティ設定がされているドキュメントファイルやフォルダファイルに関してはそのタイトル情報ではなく所定情報をタイトルリストに表示する。従って、タイトルリストを表示したときにおいてデータファイルの秘匿性を確保することができる。
【００４３】
なお、上述においては、フォルダファイルに各ファイルのタイトル情報を取得するためのファイルＩＤ（ドキュメントＩＤやフォルダＩＤ）を含め、このファイルＩＤに基づいてドキュメントファイルやフォルダファイルからそのタイトル情報を取得するようにしたが、フォルダファイルに各ファイルのタイトル情報を含めるようにしてもよい。
【００４４】
また、上述においては、フォルダファイルに各ファイルのセキュリティ設定情報を含め、このセキュリティ設定情報に基づいてドキュメントファイルやフォルダファイルがセキュリティ設定されているか否かを判定することとしたがこれに限られない。例えば、フォルダファイルにはセキュリティ設定情報を含ませない一方、ファイルＩＤ（ドキュメントＩＤやファイルＩＤ）毎にセキュリティ設定情報を関連付けたセキュリティ設定ファイルを別途設け、ファイルＩＤに対応するセキュリティ設定情報をこのセキュリティ設定ファイルから取得するようにしてもよい。この場合、フォルダファイルとセキュリティ設定ファイルとでリスト情報が構成されることになる。
【００４５】
上述では、各フォルダにあるドキュメントファイルやフォルダファイルのタイトル情報を一覧にしたタイトルリストを表示部２に表示する際の動作について説明したが、さらに、本実施形態の表示装置１では、リスト情報として閲覧履歴ファイルの内容を表示する際にも同様にセキュリティ設定がされているドキュメントファイルについてはそのタイトル情報ではなく所定情報をタイトルリストに表示するようにしている。
【００４６】
すなわち、表示装置１では、例えば、図３（ｄ），（ｇ）に示すように、ドキュメントファイルの内容を表示部２に表示したとき、その表示履歴を閲覧履歴ファイルとして表示装置１内の揮発性メモリに記憶するようにしている。そして、表示装置１内の揮発性メモリに記憶した閲覧履歴ファイルをリスト情報として、閲覧したドキュメントファイルのタイトル情報を一覧としたタイトルリスト（閲覧履歴タイトルリスト）を表示部２に表示する。
【００４７】
閲覧履歴ファイルは、ユーザが閲覧したドキュメントファイル毎のドキュメントＩＤ及びセキュリティ設定情報が含まれており（後述の図１０参照）、表示装置１の制御部は、セキュリティ設定情報が「セキュリティ設定有」を示す情報であるときドキュメントファイルにはセキュリティ設定がされていると判定して、このドキュメントファイルのタイトル情報の取得を行わない。一方、セキュリティ設定情報が「セキュリティ設定無」を示す情報であるときドキュメントファイルにセキュリティ設定がされていないと判定して、このドキュメントファイルのタイトル情報の取得をメモリカード８に記憶したドキュメントＩＤが一致するドキュメントファイルから取得して行う。
【００４８】
ここで、図４を参照して、表示装置１により閲覧履歴ファイルの内容を表示するときの操作及びそのときの処理について具体的に説明する。この処理は、表示装置１の後述するＣＰＵ１０が制御部として行う処理である。
【００４９】
閲覧履歴ファイルの内容を表示する場合、ユーザは、まずメニューボタン５ｂを操作して表示部２にメニュー画面（図１参照）を表示させ、その後、領域選択ボタン６ｂを操作する。
【００５０】
かかる操作により、図４（ａ）に示すように、表示装置１の制御部は、閲覧履歴ファイルにドキュメントＩＤが含まれるドキュメントファイルのタイトル情報を一覧にしたタイトルリストを表示部２に表示する。このとき、表示装置１の制御部は、セキュリティ設定がされているドキュメントファイルに関しては所定のタイトル情報（ここでは、「セキュリティドキュメント」の文字列）を、セキュリティ設定がされていないドキュメントファイルに関しては当該ドキュメントに固有のタイトル情報を含むようにタイトルリストを生成し、表示部２に表示させる。
【００５１】
この状態で、例えば、ユーザが領域選択ボタン６を操作して「セキュリティドキュメント」を選択すると、表示装置１の制御部は、図４（ｂ）に示すように、セキュリティドキュメントの情報を表示するための解除情報として暗証番号の入力を促す暗証番号入力画面を表示部２に表示する。
【００５２】
この画面でユーザが領域選択ボタン６を操作して暗証番号を入力すると、表示装置１の制御部は、この暗証番号を復号キーとして上記選択した「セキュリティドキュメント」のドキュメントＩＤと一致するドキュメントファイルの復号化を試みる。この復号化の処理において、表示装置１は、復号化が成功した場合、復号化したドキュメントファイルを揮発性メモリに記憶し、表示部２に表示する（図４（ｃ）参照）。このとき、表示装置１の制御部は、セキュリティ状態をセキュリティロック解除状態とし、復号キーを表示装置１内の揮発性メモリに記憶しておく。一方、「セキュリティドキュメント」に対応するドキュメントファイルの復号化の処理において、表示装置１の制御部は、復号化が成功せずにドキュメントデータ本体等が取得できないときには、入力された暗証番号が間違いである旨を通知する表示を表示部２に行う。なお、ドキュメントデータ本体が複数ページのデータからなる場合には、ドキュメントデータ本体を一括して暗号化及び復号化を行うのではなく、ページのデータ毎に暗号化を行い、表示するために必要なページのみを復号化することが望ましい。
【００５３】
図４（ｃ）に示すようにドキュメント２の内容を表示した後は、ユーザがメニューボタン５ｂを操作し（図４（ｄ）参照）、その後、領域選択ボタン６ｃを操作することで、閲覧履歴ファイルにドキュメントＩＤが含まれるドキュメントファイルのタイトル情報を一覧にしたタイトルリストを表示部２に表示した状態に戻ることができる（図４（ｅ）参照）。このとき、セキュリティロック解除状態であるため、図４（ｅ）に示すように、閲覧履歴ファイルに含まれるドキュメントＩＤを有するドキュメントファイルのタイトルを列挙したタイトルリストを表示部２に表示する。
【００５４】
その後、ユーザが操作部４を操作して、セキュリティ設定がされていないドキュメントファイルの閲覧を選択すると、図４（ｆ）に示すようなセキュリティ解除を中止した旨（すなわち、閲覧履歴ファイルに含まれるドキュメントＩＤを有するドキュメントファイルのうちセキュリティ設定がされているドキュメントファイルは再び暗証番号を入力しないとその内容が閲覧できない旨）を通知（セキュリティロック通知）する表示を数秒間だけ表示部２に行って、選択したドキュメントファイルの内容を表示部２に表示する。このとき、表示装置１の制御部は、表示装置１内の揮発性メモリから復号キーを消去し、セキュリティ状態をセキュリティロック状態とする。
【００５５】
このように実施形態に係る表示装置１では、閲覧履歴があるドキュメントファイルのタイトルを一覧にしたタイトルリストを表示部２に表示する際に、セキュリティ設定がされているドキュメントファイルのタイトル情報に代えて所定情報をタイトルリストに表示する。従って、タイトルリストを表示したときにおいてデータファイルの秘匿性を確保することができる。
【００５６】
なお、上述においては、閲覧履歴ファイルにドキュメントファイルのタイトル情報を取得するためのドキュメントＩＤを含め、このドキュメントＩＤに基づいてドキュメントファイルからそのタイトル情報を取得するようにしたが、閲覧履歴ファイルにドキュメントファイルのタイトル情報を含めるようにしてもよい。
【００５７】
また、上述においては、閲覧履歴ファイルに各ドキュメントファイルのセキュリティ設定情報を含め、このセキュリティ設定情報に基づいてドキュメントファイルがセキュリティ設定されているか否かを判定することとしたがこれに限られない。例えば、閲覧履歴ファイルにはセキュリティ設定情報を含ませない一方、ドキュメントＩＤ毎にセキュリティ設定情報を関連付けたセキュリティ設定ファイルを別途設け、ドキュメントＩＤに対応するセキュリティ設定情報をこのセキュリティ設定ファイルから取得するようにしてもよい。この場合、閲覧履歴ファイルとセキュリティ設定ファイルとでリスト情報が構成されることになる。
【００５８】
［２．表示装置の具体的構成］
次に、上述した表示装置１の具体的構成の例を挙げてより具体的にその構成及び動作を説明する。
【００５９】
［２．１  表示装置の全体構成］
まず、図５を参照して、表示装置１の電気的構成について説明する。
【００６０】
図５に示すように、表示装置１には、表示部２、ＬＥＤ３、操作部４、バッテリ７、メモリカード８、ＣＰＵ１０、ＲＯＭ１１、ＲＡＭ１２、表示コントローラ１４、充電コントローラ１５、メモリカードＩ／Ｆ１６が設けられている。
【００６１】
ＲＯＭ１１には各種情報及び表示装置１を動作させるプログラムが記憶されており、ＣＰＵ１０は、このプログラムをＲＯＭ１１から読み出して実行することにより上述した制御部として機能することで、情報取得手段、表示制御手段等として動作し、表示装置１の全体の制御を司る。ＲＡＭ１２は各種のデータ（例えば、復号化したドキュメントファイルやフォルダファイル）を一時的に記憶するメモリであり、ＣＰＵ１０による制御処理時に用いられる。なお、プログラムをＲＯＭ１１に予め記憶させておくのではなく、メモリカードＩ／Ｆ１６を介して、メモリカード８などの記憶媒体からプログラムを取り出してＲＯＭ１１に記憶するようにしてもよい。この場合、メモリカード８にはプログラムが記憶され、また、ＲＯＭ１１としてフラッシュメモリなどを用いる。
【００６２】
表示コントローラ１４は、表示部２への表示内容やＬＥＤ３への表示内容を制御する。例えば、表示部２が上述した電気泳動表示パネルのときには、この表示コントローラ１４には、当該表示パネルの画素電極への電圧印加を行うＴＦＴを動作させる後述のゲートドライバ及びソースドライバを制御するためのＦＰＧＡ、パネル駆動に必要な電源生成部（ＤＣ−ＤＣコンバータなど）等が備えられている。
【００６３】
また、表示装置１は、図示しない外部電源から電力供給を受けていない場合には、バッテリ７の電力で駆動される。バッテリ７又は外部電源からの電力供給経路は、ＣＰＵ１０に対するものと、ＲＯＭ１１，ＲＡＭ１２，表示コントローラ１４といった周辺装置に対するものとの２系統ある。そして、充電コントローラ１５は外部電源からバッテリ７への充電を制御する。
【００６４】
また、メモリカード８には、図示しないパーソナルコンピュータ（以下、「ＰＣ」とする。）にインストールされた専用ソフトウェア等によって、各種の情報が書き込まれており、メモリカードＩ／Ｆ１６は、メモリカード８から情報の読み取り、書き込みを制御する。ＣＰＵ１０は、メモリカードＩ／Ｆ１６を制御してメモリカード８からドキュメントファイルやフォルダファイルなどの情報を読み取り、メモリカード８へ閲覧履歴ファイルを書き込む。
【００６５】
本実施形態では、メモリカード８には、予めフォルダファイル（トップフォルダ、メインフォルダ、サブフォルダなどのフォルダファイル）、ドキュメントファイル及び閲覧履歴ファイルが記憶されているものとして説明する。なお、フォルダファイル及びドキュメントファイルはＰＣから当該ＰＣに接続されたメモリカードＩ／Ｆ（図示せず）を介してメモリカード８に記憶されるものであり、閲覧履歴ファイルは表示装置１によりメモリカードＩ／Ｆ１６を介してメモリカード８に記憶されるものである。
【００６６】
なお、以下においては、メモリカード８に図６に示すような階層構造をもった各種フォルダファイル（トップフォルダ、メインフォルダ、サブフォルダ１〜３）及びドキュメントファイル（ドキュメント１〜４）が記憶されているものとして説明する。
【００６７】
フォルダファイルには、図７及び図８に示すように、フォルダのフォルダＩＤ、フォルダのタイトル情報、フォルダ格納個数の情報、ドキュメント格納個数の情報、フォルダ情報、ドキュメント情報などが含まれている。フォルダ情報としてフォルダＩＤとセキュリティ設定情報とが含まれ、ドキュメント情報としてドキュメントＩＤとセキュリティ設定情報とが含まれる。
【００６８】
図７に示すフォルダファイルはトップフォルダファイルであり、そのタイトル情報として「トップフォルダ」が設定され、フォルダ格納個数を「４」、ドキュメント格納個数を「２」とし、４つのフォルダ情報、２つのドキュメント情報を有している。また、図８に示すフォルダファイルはサブフォルダ１に対応するフォルダファイルであり、そのタイトル情報として「サブフォルダ１」が設定され、フォルダ格納個数を「０」、ドキュメント格納個数を「２」とし、２つのドキュメント情報を有している。
【００６９】
ドキュメントファイルには、図９に示すように、プロパティ情報とドキュメントデータ本体とが含まれている。ドキュメントデータ本体は表示部２に表示するドキュメントそのもののデータであり、表示部２に表示するドキュメントの各ページのデータが含まれる。また、プロパティ情報として、ドキュメントＩＤ、タイトル情報、ドキュメントの総ページ数、閲覧日時（表示部２に表示した日時）、最終閲覧ページ番号（最終に表示部２に表示したページ番号）などの情報が含まれている。
【００７０】
閲覧履歴ファイルには、図１０に示すように、閲覧履歴登録個数と閲覧ドキュメント情報とが含まれ、閲覧ドキュメント情報には閲覧したドキュメントファイル（以下、「閲覧ドキュメント」とも呼ぶ。）のドキュメントＩＤ、セキュリティ設定情報が含まれる。
【００７１】
この閲覧履歴ファイルは、ドキュメントファイルが表示部２に表示される毎に更新され、最後に表示したドキュメントファイルに関する閲覧ドキュメント情報から順番に並ぶように設定される。例えば、図１１（ａ）に示すような順番で閲覧ドキュメント情報が配置されている状態で、例えばドキュメント３を閲覧すると、図１１（ｂ）に示すように、ドキュメント３のドキュメントＩＤ等を含む閲覧ドキュメント情報が最新の閲覧ドキュメント情報になるように並び替えられることになる。つまり、閲覧履歴ファイルに同じドキュメント情報が２つ以上格納されることはない。
【００７２】
なお、フォルダファイルやドキュメントファイルはＰＣにより生成されるものとして説明したが、表示装置１内で生成可能としてもよい。
【００７３】
［２．２  表示装置１の具体的動作］
次に、本実施形態における表示装置１の具体的動作について図１２〜図１６を参照して説明する。なお、以下においては、タイトルリストに関する処理を主に説明し、その他の処理については説明を省略することとする。図１２は表示部２のメイン制御処理の流れを示す説明図である。このメイン制御処理は、ユーザが電源ボタン５ａを操作したときに開始される処理である。
【００７４】
表示装置１のＣＰＵ１０は、メイン制御処理を開始すると、表示装置１の起動処理を行う（ステップＳ１）。この起動処理により、ＲＡＭ１２等が初期化されると共に、ＲＯＭ１１からプログラムが読み出されて実行状態となり、上記情報取得手段、表示制御手段等としての機能を実行な可能な状態となる。
【００７５】
次に、ＣＰＵ１０は、情報取得手段として機能して、メモリカードＩ／Ｆ１６を介してメモリカード８から閲覧履歴ファイルを読み出してＲＡＭ１２に記憶する（ステップＳ２）。なお、メモリカード８に閲覧履歴ファイルが記憶されていない場合には、ＣＰＵ１０は予めＲＯＭ１１に格納されたデフォルトの閲覧履歴ファイル（閲覧履歴登録個数が「０」のファイル）をＲＡＭ１２に記憶することになる。
【００７６】
次に、ＣＰＵ１０は、フォルダに含まれるドキュメントファイルやフォルダファイルのタイトル情報を一覧にしたタイトルリストを表示部２に表示しているか否かを判定する（ステップＳ３）。この処理において、ＣＰＵ１０は、タイトルリストを表示部２に表示していると判定すると（ステップＳ３：ＹＥＳ）、処理をステップＳ４に移行し、タイトルリストを表示部２に表示していないと判定すると（ステップＳ３：ＮＯ）、処理をステップＳ６に移行する。
【００７７】
ステップＳ４において、ＣＰＵ１０は、ユーザによる領域選択ボタン６の操作により、表示部２に表示しているタイトルリストのタイトル情報が選択されたか否かを判定する。この処理において、タイトル情報が選択されたと判定すると（ステップＳ４：ＹＥＳ）、ＣＰＵ１０は、ファイル表示処理を行う（ステップＳ５）。この「ファイル表示処理」は、図１４に示すステップＳ５０〜Ｓ６３の処理であり、後で詳述する。一方、タイトル情報が選択されていないと判定すると（ステップＳ４：ＮＯ）、ＣＰＵ１０は、処理を後述するステップＳ７に移行する。
【００７８】
また、ステップＳ６において、ＣＰＵ１０は、フォルダ表示選択がされたか否かを判定する。具体的には、ユーザによるメニューボタン５ｂや領域選択ボタン６などの操作により、トップフォルダの内容を表示部２に表示する選択がされたときにフォルダ表示選択がされたと判定する。この処理において、フォルダ表示選択がされたと判定すると（ステップＳ６：ＹＥＳ）、ＣＰＵ１０は、フォルダのリスト表示処理を行う（ステップＳ９）。この「フォルダのリスト表示処理」は、図１３に示すステップＳ２０〜Ｓ４４の処理であり、後で詳述する。一方、フォルダ表示選択がされていないと判定すると（ステップＳ６：ＮＯ）、ＣＰＵ１０は、処理をステップＳ７に移行する。
【００７９】
ステップＳ７において、ＣＰＵ１０は、閲覧履歴表示選択がされたか否かを判定する。具体的には、ユーザによるメニューボタン５ｂや領域選択ボタン６などの操作により、閲覧履歴ファイルの内容を表示部２に表示する選択がされたときに閲覧履歴選択がされたと判定する。この処理において、閲覧履歴表示選択がされたと判定すると（ステップＳ７：ＹＥＳ）、ＣＰＵ１０は、閲覧履歴表示処理を行う（ステップＳ８）。この閲覧履歴表示処理は、図１５に示すステップＳ７０〜Ｓ８１に示す処理であり、後で詳述する。一方、閲覧履歴表示選択がされていないと判定すると（ステップＳ７：ＮＯ）、ＣＰＵ１０は、処理をステップＳ１０へ移行する。
【００８０】
ステップＳ１０において、ＣＰＵ１０は、閲覧履歴表示中か否かを判定する。すなわち、閲覧履歴ファイルの内容が表示部２に表示されている状態か否かを判定する。この処理において、閲覧履歴表示中であると判定すると（ステップＳ１０：ＹＥＳ）、ＣＰＵ１０は、閲覧ドキュメントが選択されたか否かを判定する（ステップＳ１１）。具体的には、ＣＰＵ１０は、ユーザによる領域選択ボタン６などの操作により、閲覧履歴があるドキュメントファイルとして表示部２にタイトル情報が表示されたドキュメントファイルのいずれかが選択されたときに、閲覧ドキュメントが選択されたと判定する。この処理において、閲覧ドキュメントが選択されたと判定すると（ステップＳ１１：ＹＥＳ）、ＣＰＵ１０は、閲覧ドキュメント表示処理を行う（ステップＳ１２）。この閲覧ドキュメント表示処理は、図１６に示すステップＳ９０〜Ｓ１００に示す処理であり、後で詳述する。一方、閲覧ドキュメントが選択されていないと判定すると（ステップＳ１１：ＮＯ）、ＣＰＵ１０は処理をステップＳ１３に移行する。
【００８１】
ステップＳ１３において、ＣＰＵ１０は、表示装置１を電源ＯＦＦにするか否かを判定する。例えば、表示装置１の操作部４が操作されない状態が所定時間（例えば、３分間）継続したときや電源ボタン５ａが操作されたときに、電源ＯＦＦにすべきと判定する。表示装置１を電源ＯＦＦにすべきと判定すると（ステップＳ１３：ＹＥＳ）、ＣＰＵ１０は、ＲＡＭ１２に記憶している閲覧履歴ファイルをメモリカード８に書き込んで記憶する（ステップＳ１４）。なお、メモリカード８に閲覧履歴ファイルが記憶されているときには、この閲覧履歴ファイルを消去して、ＲＡＭ１２に記憶している閲覧履歴ファイルをメモリカード８に書き込む。一方、電源ＯＦＦにすべきではないと判定すると（ステップＳ１３：ＮＯ）、ＣＰＵ１０は、処理をステップＳ３に戻す。
【００８２】
次に、ステップＳ９に示す「フォルダのリスト表示処理」について、図１３を参照して説明する。
【００８３】
この処理を開始すると、ＣＰＵ１０は、情報取得手段として機能して、メモリカード８内に記憶したトップフォルダのフォルダファイルをメモリカードＩ／Ｆ１６を介してメモリカード８から読み出してＲＡＭ１２の所定領域に記憶する（ステップＳ２０）。ここでは、トップフォルダのフォルダファイルにはファイル名「００００．ＦＬＰ」が付されており、このファイル名からトップフォルダのフォルダファイルを検出して読み出す。
【００８４】
次に、ＣＰＵ１０は、トップフォルダのフォルダファイルからタイトル情報を読み出す（ステップＳ２１）。ここでは、トップフォルダのフォルダファイルにはタイトル情報として「トップフォルダ」の文字列が含まれている（図７参照）。
【００８５】
次に、ＣＰＵ１０は、トップフォルダのフォルダファイルからフォルダ格納個数の情報を読み出し（ステップＳ２２）、フォルダ格納個数が「１」以上であるか否かを判定する（ステップＳ２３）。フォルダ格納個数が「１」であると判定すると（ステップＳ２３：ＹＥＳ）、ＣＰＵ１０は、カウンタのカウント値Ｍを「１」に設定する（ステップＳ２４）。その後、ＣＰＵ１０は、トップフォルダのフォルダファイルに含まれるフォルダ情報のうちＭ番目のフォルダ情報を読み出し（ステップＳ２５）、このフォルダ情報に含まれるセキュリティ設定情報が「セキュリティ設定有」を示すものであるか否かを判定する（ステップＳ２６）。この処理において、「セキュリティ設定有」を示すものであると判定すると（ステップＳ２６：ＹＥＳ）、ＣＰＵ１０は処理をステップＳ３１に移行し、「セキュリティ設定有」を示すものではなく、「セキュリティ設定無」を示すものであると判定すると（ステップＳ２６：ＮＯ）、ＣＰＵ１０は処理をステップＳ２７に移行する。
【００８６】
ステップＳ２７において、ＣＰＵ１０は、Ｍ番目のフォルダ情報に含まれるフォルダＩＤと一致するフォルダＩＤを有するフォルダファイルに含まれるタイトル情報をメモリカード８から読み出してＲＡＭ１２のタイトルリスト用領域にタイトルリストの情報として記憶し（ステップＳ２８）、カウンタのカウント値Ｍに「１」を加算する（ステップＳ２９）。
【００８７】
また、ステップＳ３１において、ＣＰＵ１０は、表示装置１のセキュリティ状態がセキュリティロック状態であるか否かを判定する。この処理において、セキュリティロック状態でないと判定すると（ステップＳ３１：ＮＯ）、ＣＰＵ１０は、処理をステップＳ２７に移行する。一方、セキュリティロック状態であると判定すると（ステップＳ３１：ＹＥＳ）、ＣＰＵ１０は、Ｍ番目のフォルダ情報に含まれるフォルダＩＤと一致するフォルダＩＤを有するフォルダファイルのタイトル情報として、ＲＯＭ１１に記憶している所定情報（「セキュリティフォルダ」の文字列）を読み出し、ＲＡＭ１２のタイトルリスト用領域にタイトルリストの情報として記憶し（ステップＳ３２）、処理をステップＳ２９に移行する。
【００８８】
ステップＳ２９の処理が終了すると、ＣＰＵ１０は、フォルダ格納個数分の処理が終了したか否かを判定する（ステップＳ３０）。このとき、ＣＰＵ１０はカウンタのカウント値Ｍがフォルダ格納個数と同じになっているときに、フォルダ格納個数分の処理が終了したと判定する。この処理において、ＣＰＵ１０は、フォルダ格納個数分の処理が終了していないと判定すると（ステップＳ３０：ＮＯ）、処理をステップＳ２５に戻し、フォルダ格納個数分の処理が終了したと判定すると（ステップＳ３０：ＹＥＳ）、処理をステップＳ３３へ移行する。
【００８９】
ステップＳ３３において、ＣＰＵ１０は、トップフォルダのフォルダファイルからドキュメント格納個数の情報を読み出し、ドキュメント格納個数が「１」以上であるか否かを判定する（ステップＳ３４）。ドキュメント格納個数が「１」であると判定すると（ステップＳ３４：ＹＥＳ）、ＣＰＵ１０は、カウンタのカウント値Ｎを「１」に設定する（ステップＳ３５）。その後、ＣＰＵ１０は、トップフォルダのフォルダファイルに含まれるドキュメント情報のうちＮ番目のドキュメント情報を読み出し（ステップＳ３６）、このドキュメント情報に含まれるセキュリティ設定情報が「セキュリティ設定有」を示すものであるか否かを判定する（ステップＳ３７）。この処理において、「セキュリティ設定有」を示すものであると判定すると（ステップＳ３７：ＹＥＳ）、ＣＰＵ１０は処理をステップＳ４２に移行し、「セキュリティ設定有」を示すものではなく、「セキュリティ設定無」を示すものであると判定すると（ステップＳ３７：ＮＯ）、ＣＰＵ１０は処理をステップＳ３８に移行する。
【００９０】
ステップＳ３８において、ＣＰＵ１０は、Ｎ番目のドキュメント情報に含まれるドキュメントＩＤと一致するドキュメントＩＤを有するドキュメントファイルのプロパティ情報に含まれるタイトル情報をメモリカード８から読み出してＲＡＭ１２のタイトルリスト用所定領域に記憶し（ステップＳ３９）、カウンタのカウント値Ｎに「１」を加算する（ステップＳ４０）。
【００９１】
また、ステップＳ４２において、ＣＰＵ１０は、表示装置１のセキュリティ状態がセキュリティロック状態であるか否かを判定する。この処理において、セキュリティロック状態ではないと判定すると（ステップＳ４２：ＮＯ）、ＣＰＵ１０は、処理をステップＳ３８に移行する。一方、セキュリティロック状態であると判定すると（ステップＳ４２：ＹＥＳ）、ＣＰＵ１０は、Ｎ番目のドキュメント情報に含まれるドキュメントＩＤと一致するドキュメントＩＤを有するドキュメントファイルのタイトル情報として、ＲＯＭ１１に記憶している所定情報（「セキュリティドキュメント」の文字列）を読み出し、タイトルリストの情報としてＲＡＭ１２のタイトルリスト用領域に記憶し（ステップＳ４３）、処理をステップＳ４０に移行する。
【００９２】
ステップＳ４０の処理が終了すると、ＣＰＵ１０は、ドキュメント格納個数分の処理が終了したか否かを判定する（ステップＳ４１）。このとき、ＣＰＵ１０はカウンタのカウント値Ｎがドキュメント格納個数と同じになっているときに、ドキュメント格納個数分の処理が終了したと判定する。この処理において、ＣＰＵ１０は、ドキュメント格納個数分の処理が終了していないと判定すると（ステップＳ４１：ＮＯ）、処理をステップＳ３６に戻し、ドキュメント格納個数分の処理が終了したと判定すると（ステップＳ４１：ＹＥＳ）、ＲＡＭ１２のタイトルリスト用領域に記憶したタイトルリストの情報に基づいてタイトルリストを表示部２に表示して（ステップＳ４４）、「フォルダのリスト表示処理」を終了する。
【００９３】
次に、ステップＳ５に示す「ファイル表示処理」について、図１４を参照して説明する。この「ファイル表示処理」は、ＣＰＵ１０が表示制御手段として機能して実行されるものである。
【００９４】
この処理を開始すると、ＣＰＵ１０は、表示部２に表示しているタイトルリストを生成するために用いたフォルダファイルに含まれるセキュリティ設定情報のうち、ステップＳ４において選択されたと判定したファイル（以下、「選択ファイル」と呼ぶ。）のセキュリティ設定情報が「セキュリティ設定有」を示すものであるか否かを判定する（ステップＳ５０）。この処理において、「セキュリティ設定有」を示すものであると判定すると（ステップＳ５０：ＹＥＳ）、ＣＰＵ１０は処理をステップＳ５１に移行し、「セキュリティ設定有」を示すものではなく、「セキュリティ設定無」を示すものであると判定すると（ステップＳ５０：ＮＯ）、ＣＰＵ１０は処理をステップＳ５５に移行する。
【００９５】
ステップＳ５１において、ＣＰＵ１０は、表示装置１のセキュリティ状態がセキュリティロック状態であるか否かを判定する。この処理において、セキュリティロック状態ではないと判定すると（ステップＳ５１：ＮＯ）、ＣＰＵ１０は、処理をステップＳ５８に移行する。一方、セキュリティロック状態であると判定すると（ステップＳ５１：ＹＥＳ）、ＣＰＵ１０は、暗証番号入力画面を表示部２に表示してユーザに暗証番号の入力を促す（ステップＳ５２）。そして、ユーザが領域選択ボタン６により暗証番号の入力操作を行うと、その入力した暗証番号が一致するか否かを判定する（ステップＳ５３）。なお、暗証番号が一致するか否かは選択ファイルが復号化できるか否かで判定するが、復号判定用情報をドキュメント情報やフォルダ情報に含ませ、或いはメモリカード８の所定領域に復号判定用情報を記憶して、ユーザが入力した暗証番号で復号判定用情報が正常に復号できるかにより暗証番号が一致するか否かを判定するようにしてもよい。この処理において、暗証番号が一致すると判定すると（ステップＳ５３：ＹＥＳ）、ＣＰＵ１０は、ＲＡＭ１２に復号キーを記憶すると共に、表示装置１のセキュリティ状態をセキュリティロック解除状態に設定して（ステップＳ５４）、処理をステップＳ５８に移行する。
【００９６】
また、ステップＳ５５において、表示装置１のセキュリティ状態がセキュリティロック状態であるか否かを判定する。この処理において、セキュリティロック状態ではないと判定すると（ステップＳ５５：ＮＯ）、ＣＰＵ１０は、ＲＡＭ１２に記憶した復号キーを消去すると共に、表示装置１のセキュリティ状態をセキュリティロック状態に設定して（ステップＳ５６）、セキュリティロック通知を数秒間行い（ステップＳ５７）、処理をステップＳ５８へ移行する。このセキュリティロック通知は、図３（ｅ）に示すような画面を表示部２に表示することによって行われる。一方、セキュリティロック状態であると判定すると（ステップＳ５５：ＹＥＳ）、ＣＰＵ１０は処理をステップＳ５８へ移行する。
【００９７】
ステップＳ５８において、ＣＰＵ１０は、選択ファイルがフォルダファイルであるのか否かを判定する。この処理において、ＣＰＵ１０は、選択ファイルがフォルダファイルであると判定すると（ステップＳ５８：ＹＥＳ）、処理をステップＳ５９に移行し、選択ファイルがフォルダファイルではなくドキュメントファイルであると判定すると（ステップＳ５８：ＮＯ）、処理をステップＳ６２に移行する。
【００９８】
ステップＳ５９において、ＣＰＵ１０は、情報取得手段として機能して、選択ファイルであるフォルダファイルをメモリカード８から読み出してＲＡＭ１２の所定領域に記憶する。このとき、選択ファイルであるフォルダファイルがセキュリティ設定されているときには、ＲＡＭ１２に記憶した復号キーによりそのフォルダファイルを復号化してＲＡＭ１２に記憶する。その後、ＲＡＭ１２に記憶したフォルダファイルに含まれるタイトル情報を読み出しタイトルリストの情報としてタイトルリスト用領域に記憶して（ステップＳ６０）、このタイトルリストの情報に基づいてタイトルリストを表示部２に表示して（ステップＳ６１）、「ファイル表示処理」を終了する。
【００９９】
また、ステップＳ６２において、ＣＰＵ１０は、情報取得手段として機能して、選択ファイルであるドキュメントファイルをメモリカード８から読み出してＲＡＭ１２の所定領域に記憶する。このとき、選択ファイルであるドキュメントファイルがセキュリティ設定されているときには、ＲＡＭ１２に記憶した復号キーによりそのドキュメントファイルを復号化してＲＡＭ１２に記憶する。その後、ＲＡＭ１２に記憶したドキュメントファイルのドキュメントデータ本体を読み出して表示部２に表示して（ステップＳ６３）、「ファイル表示処理」を終了する。
【０１００】
次に、ステップＳ８に示す「閲覧履歴表示処理」について、図１５を参照して説明する。この「閲覧履歴表示処理」は、ＣＰＵ１０が表示制御手段として機能して実行されるものである。
【０１０１】
この処理を開始すると、ＣＰＵ１０は、まずＲＡＭ１２に記憶した閲覧履歴ファイルから閲覧履歴登録個数の情報を読み出し（ステップＳ７０）、閲覧履歴登録個数が「１」以上であるか否かを判定する（ステップＳ７１）。閲覧履歴登録個数が「１」であると判定すると（ステップＳ７１：ＹＥＳ）、ＣＰＵ１０は、カウンタのカウント値Ｘを「１」に設定する（ステップＳ７２）。その後、ＣＰＵ１０は、閲覧履歴ファイルに含まれる閲覧ドキュメント情報のうちＸ番目の閲覧ドキュメント情報を読み出し（ステップＳ７３）、この閲覧ドキュメント情報に含まれるセキュリティ設定情報が「セキュリティ設定有」を示すものであるか否かを判定する（ステップＳ７４）。この処理において、「セキュリティ設定有」を示すものであると判定すると（ステップＳ７４：ＹＥＳ）、ＣＰＵ１０は処理をステップＳ７９に移行し、「セキュリティ設定有」を示すものではなく、「セキュリティ設定無」を示すものであると判定すると（ステップＳ７４：ＮＯ）、ＣＰＵ１０は処理をステップＳ７５に移行する。
【０１０２】
ステップＳ７５において、ＣＰＵ１０は、Ｘ番目の閲覧ドキュメント情報に含まれるドキュメントＩＤと一致するドキュメントＩＤを有するドキュメントファイルに含まれるタイトル情報をメモリカード８から読み出してＲＡＭ１２のタイトルリスト用領域に記憶し、（ステップＳ７６）、カウンタのカウント値Ｘに「１」を加算する（ステップＳ７７）。
【０１０３】
また、ステップＳ７９において、ＣＰＵ１０は、表示装置１のセキュリティ状態がセキュリティロック状態であるか否かを判定する。この処理において、セキュリティロック状態ではないと判定すると（ステップ７９：ＮＯ）、ＣＰＵ１０は、処理をステップＳ７５に移行する。一方、セキュリティロック状態であると判定すると（ステップＳ７９：ＹＥＳ）、ＣＰＵ１０は、Ｘ番目のドキュメント情報に含まれるドキュメントＩＤと一致するドキュメントＩＤを有するドキュメントファイルのタイトル情報として、ＲＯＭ１１に記憶している所定情報（「セキュリティドキュメント」の文字列）を読み出し、ＲＡＭ１２のタイトルリスト用領域にタイトルリストの情報として記憶し（ステップＳ８０）、処理をステップＳ７７に移行する。
【０１０４】
ステップＳ７７の処理が終了すると、ＣＰＵ１０は、閲覧履歴登録個数分の処理が終了したか否かを判定する（ステップＳ７８）。このとき、ＣＰＵ１０はカウンタのカウント値Ｘが閲覧履歴登録個数と同じになっているときに、閲覧履歴登録個数分の処理が終了したと判定する。この処理において、ＣＰＵ１０は、閲覧履歴登録個数分の処理が終了していないと判定すると（ステップＳ７８：ＮＯ）、処理をステップＳ７３に戻し、閲覧履歴登録個数分の処理が終了したと判定すると（ステップＳ７８：ＹＥＳ）、ＲＡＭ１２のタイトルリスト用領域に記憶したタイトルリストの情報に基づいてタイトルリストを表示部２に表示して（ステップＳ７９）、「閲覧履歴表示処理」を終了する。
【０１０５】
次に、ステップＳ１２に示す「閲覧ドキュメント表示処理」について、図１６を参照して説明する。
【０１０６】
この処理を開始すると、ＣＰＵ１０は、閲覧履歴ファイルに含まれる閲覧ドキュメント情報のうち、ステップＳ１１において選択されたと判定した閲覧ドキュメント情報（以下、「選択ドキュメント」と呼ぶ。）のセキュリティ設定情報が「セキュリティ設定有」を示すものであるか否かを判定する（ステップＳ９０）。この処理において、「セキュリティ設定有」を示すものであると判定すると（ステップＳ９０：ＹＥＳ）、ＣＰＵ１０は処理をステップＳ９１に移行し、「セキュリティ設定有」を示すものではなく、「セキュリティ設定無」を示すものであると判定すると（ステップＳ９０：ＮＯ）、ＣＰＵ１０は処理をステップＳ９５に移行する。
【０１０７】
ステップＳ９１において、ＣＰＵ１０は、表示装置１のセキュリティ状態がセキュリティロック状態であるか否かを判定する。この処理において、セキュリティロック状態ではないと判定すると（ステップＳ９１：ＮＯ）、ＣＰＵ１０は、処理をステップＳ９８に移行する。一方、セキュリティロック状態であると判定すると（ステップＳ９１：ＹＥＳ）、ＣＰＵ１０は、暗証番号入力画面を表示部２に表示してユーザに暗証番号の入力を促す（ステップＳ９２）。そして、ユーザが領域選択ボタン６により暗証番号の入力操作を行うと、その入力した暗証番号が一致するか否かを判定する（ステップＳ９３）。なお、暗証番号が一致するか否かは選択ドキュメントのドキュメントファイルが復号化できるか否かで判定するが、復号判定用情報をドキュメント情報に含ませ、或いはメモリカード８の所定領域に復号判定用情報を記憶して、ユーザが入力した暗証番号で復号判定用情報が正常に復号できるかにより暗証番号が一致するか否かを判定するようにしてもよい。この処理において、暗証番号が一致すると判定すると（ステップＳ９３：ＹＥＳ）、ＣＰＵ１０は、表示装置１のセキュリティ状態をセキュリティロック解除状態に設定して（ステップＳ９４）、処理をステップＳ９８に移行する。
【０１０８】
また、ステップＳ９５において、表示装置１のセキュリティ状態がセキュリティロック状態であるか否かを判定する。この処理において、セキュリティロック状態ではないと判定すると（ステップＳ９５：ＮＯ）、ＣＰＵ１０は、ＲＡＭ１２に記憶した復号キーを消去すると共に、表示装置１のセキュリティ状態をセキュリティロック状態に設定して（ステップＳ９６）、セキュリティロック通知を数秒間行い（ステップＳ９７）、処理をステップＳ９８へ移行する。このセキュリティロック通知は、図４（ｆ）に示すような画面を表示部２に表示することによって行われる。一方、セキュリティロック状態であると判定すると（ステップＳ９５：ＹＥＳ）、ＣＰＵ１０は処理をステップＳ９８へ移行する。
【０１０９】
ステップＳ９８において、ＣＰＵ１０は、情報取得手段として機能して、選択ドキュメントのドキュメントファイルをメモリカード８から読み出してＲＡＭ１２の所定領域に記憶する。このとき、選択ドキュメントであるドキュメントファイルがセキュリティ設定されているときには、ＲＡＭ１２に記憶した復号キーによりそのドキュメントファイルを復号化してＲＡＭ１２に記憶する。その後、閲覧履歴ファイルにおける最新の閲覧ドキュメント情報をこの選択ドキュメントのドキュメントファイルとして、このドキュメントファイルのドキュメントＩＤなどを閲覧履歴ファイルにおける最新の閲覧ドキュメント情報とする（ステップＳ９９）。
【０１１０】
ステップＳ９９の処理が終了すると、ＣＰＵ１０は、ＲＡＭ１２から選択ドキュメントのドキュメントデータ本体を読み出して表示部２に表示して（ステップＳ１００）、「閲覧ドキュメント表示処理」を終了する。
【０１１１】
本発明を、上述してきた実施形態を通して説明したが、本実施形態の表示装置１によれば、以下の効果が期待できる。
【０１１２】
（１）表示手段（表示部２）と、複数のデータファイル（フォルダファイル、ドキュメントファイル）のタイトル情報又は当該タイトル情報に対応する情報（ドキュメントＩＤ、フォルダＩＤ）を含むリスト情報（フォルダファイル、閲覧履歴ファイル）を取得する情報取得手段（ＣＰＵ１０）と、この取得したリスト情報に基づいて、前記データファイルのタイトル情報を一覧にしたタイトルリストを表示手段に表示する表示制御手段（ＣＰＵ１０）とを備え、リスト情報には、前記データファイル毎にセキュリティ設定の情報（セキュリティ設定情報）が含まれ、前記表示制御手段は、タイトルリストを表示手段に表示するときに、セキュリティ設定の情報に基づき、セキュリティ設定がされていると判定したデータファイルはそのタイトル情報に代えて所定情報（例えば、「セキュリティフォルダ」の文字列や「セキュリティドキュメント」の文字列）を表示するようにしたので、タイトルリストを表示したときにおいてデータファイルの秘匿性を確保することができる。
【０１１３】
（２）リスト情報（フォルダファイル、閲覧履歴ファイル）は、データファイル（ドキュメントファイル）毎にファイルＩＤ（ドキュメントＩＤ、フォルダＩＤ）とセキュリティ設定の情報とが関連付けられ、前記データファイルは、ファイルデータ（ドキュメントデータ本体、ドキュメント情報及びファイル情報）と、ファイルＩＤ（ドキュメントＩＤ、フォルダＩＤ）及びタイトル情報とが含まれるプロパティ情報とを有しており、情報取得手段（ＣＰＵ１０）は、データファイル及びリスト情報を記憶した記憶媒体（メモリカード８）から記憶媒体ドライブ（メモリカードＩ／Ｆ１６）を介してデータファイル及びリスト情報を取得し、制御部（表示制御手段）は、セキュリティ設定の情報に基づきセキュリティ設定がされていないと判定したデータファイルのファイルＩＤと一致するファイルＩＤを有するデータファイルに含まれるタイトル情報を取得する一方、セキュリティ設定がされていると判定したデータファイルはそのタイトル情報に代えて所定情報（セキュリティドキュメント）を取得して、タイトルリストを生成し、表示するようにしたので、セキュリティ設定がされていると判定したデータファイルをリスト情報に含まれる情報のみで判定することができ高速処理を可能としつつも、リスト情報の情報量を低減して必要な記憶容量の低減を図ることができる。しかも、リスト情報にはタイトル情報が含まれていないことから、このリスト情報が漏洩等した場合であってもタイトル情報の秘匿性を確保することができる。また、記憶した記憶媒体からデータファイル及びリスト情報を取得することができるので、表示するデータファイルの変更を容易に行うことができる。
【０１１４】
（３）セキュリティ設定されたデータファイル（フォルダファイル、ドキュメントファイル）のタイトル情報を表示するための解除情報（暗証番号）を入力するための入力手段（操作部４）を備え、セキュリティ設定がされたデータファイルのタイトル情報は暗号化されて記憶媒体（メモリカード８）に記憶されており、表示制御手段（ＣＰＵ１０）は、入力手段により解除情報が入力された後にタイトルリストを表示する際は、セキュリティ設定がされたデータファイルのタイトル情報を復号化して、セキュリティ設定がされたデータファイルのタイトル情報を取得し、セキュリティ設定がされたデータファイルのタイトル情報を含むタイトルリストを生成して表示する。従って、データファイルのタイトル情報が暗号化されて記憶媒体に記憶されていることから、リスト情報に加えてデータファイルが漏洩等した場合であってもタイトル情報の秘匿性を確保することができる。また、解除情報を入力する前であっても、リスト情報のセキュリティ設定の情報からセキュリティ設定されているものは所定のタイトル情報を表示することから、タイトル情報を復号化しなくとも図３（ａ）や図４（ａ）のようなタイトルリストの表示が可能となる。
【０１１５】
（４）表示手段（表示部２）に表示されたタイトルリストからデータファイル（ドキュメントファイル、フォルダファイル）を選択する選択手段（操作部４）を備え、表示制御手段（ＣＰＵ１０）は、選択手段で選択されたデータファイルがセキュリティ設定がされていると判定したデータファイルであるときには、当該データファイルに含まれるファイルデータ（ドキュメントデータ本体、ドキュメント情報、ファイル情報）の表示を規制するようにしたので、セキュリティ設定がされたデータファイルの秘匿性を確保することができる。
【０１１６】
（５）セキュリティ設定がされたデータファイルのファイルデータ（ドキュメントファイル、フォルダファイル）を表示するための解除情報を入力するための入力手段（操作部４）を備え、情報取得手段（ＣＰＵ１０）は、データファイル及びリスト情報を記憶した記憶媒体（メモリカード８）から記憶媒体ドライブ（メモリカードＩ／Ｆ１６）を介してデータファイル及びリスト情報を取得し、セキュリティ設定がされたデータファイルは、記憶媒体に暗号化されて記憶されており、表示制御手段（ＣＰＵ１０）は、入力手段で選択されたデータファイルがセキュリティ設定がされていると判定したデータファイルであるときには、解除情報である暗証番号の入力を促す表示を行い、その後、入力手段から前記解除情報が入力されたときに、前記選択されたデータファイルのファイルデータを復号化して表示するようにしたので、データファイルが記憶されたメモリカード８などの記憶媒体が悪意の第三者に取得されたときであっても、ファイルデータは暗号化されているためその秘匿性を確保することができる。また、復号キーは揮発性メモリ（ＲＡＭ１２）に一時的に記憶され、その後セキュリティロック状態になったときに消去され、また電源ＯＦＦになったにも消去されることから、より秘匿性を向上させることができる。さらに、記憶した記憶媒体からデータファイル及びリスト情報を取得することができるので、表示するデータファイルの変更を容易に行うことができる。
【０１１７】
（６）リスト情報（フォルダファイル）には、データファイル（フォルダファイル、ドキュメントファイル）を格納するフォルダに関する情報（フォルダ情報）を含み、さらに、このフォルダに関する情報には当該フォルダのセキュリティ設定の情報が含まれ、表示制御手段（ＣＰＵ１０）は、フォルダのタイトル情報を含むタイトルリストを表示手段に表示するときに、セキュリティ設定がされているフォルダはタイトル情報に代えて所定情報（例えば、「セキュリティフォルダ」の文字列）を表示するようにしたので、ドキュメント単位だけではなくフォルダ単位でもその秘匿性を担保することができ、より秘匿性を向上させることができる。
【０１１８】
以上、本発明の実施形態のいくつかを図面に基づいて詳細に説明したが、これらは例示であり、当業者の知識に基づいて種々の変形、改良を施した他の形態で本発明を実施することが可能である。
【０１１９】
例えば、セキュリティ設定がされているドキュメントファイルやフォルダファイルのタイトル情報に代えた所定情報として、セキュリティドキュメントやセキュリティフォルダなどのような文字列を用いることとしたが、図形等を用いるようにしてもよい。
【０１２０】
また、上述においては復号化に用いる暗証番号をトップフォルダ内のフォルダファイルやドキュメントファイルで共通とした例を説明したが、各ファイルに個別に暗証番号を設定することができるようにしてもよい。このとき、閲覧ドキュメント情報に応じたドキュメントファイルのうちセキュリティ設定がされているドキュメントファイルを選択する毎に暗証番号の入力が要求されて、その入力によりセキュリティロック解除状態となり、そのドキュメントファイルを閉じる毎にセキュリティロック解除状態からセキュリティロック状態に移行することになる。
【０１２１】
また、上述においては着脱可能なメモリカード８に閲覧履歴ファイルやデータファイル（ドキュメントファイルやフォルダファイル）を格納した例を説明したが、表示装置１内に十分な容量の不揮発性メモリを搭載し、この不揮発性メモリに閲覧履歴ファイルやデータファイルに記憶するようにしてもよい。
【０１２２】
また、上述においては、ユーザに入力される暗証番号を復号キーとして用いることとしたが、これに限られない。例えば、ユーザに入力される暗証番号（第一鍵）と表示装置１のＲＯＭ１１等に記憶した情報（第二鍵）とで復号キー（第一鍵＋第二鍵）を生成してもよい。例えば、暗証番号を「１２３４」とし、表示装置１に記憶した情報を「５６７８」とすると、「１２３４５６７８」が復号キーになる。
【符号の説明】
【０１２３】
１  表示装置
２  表示部
３  表示部
４  操作部
８  メモリカード
１０  ＣＰＵ
１１  ＲＯＭ
１２  ＲＡＭ
【図１】
2010186348.tif 000003
【図２】
2010186348.tif 000004
【図３】
2010186348.tif 000005
【図４】
2010186348.tif 000006
【図５】
2010186348.tif 000007
【図６】
2010186348.tif 000008
【図７】
2010186348.tif 000009
【図８】
2010186348.tif 000010
【図９】
2010186348.tif 000011
【図１０】
2010186348.tif 000012
【図１１】
2010186348.tif 000013
【図１２】
2010186348.tif 000014
【図１３】
2010186348.tif 000015
【図１４】
2010186348.tif 000016
【図１５】
2010186348.tif 000017
【図１６】
2010186348.tif 000018